(57)【要約】【課題】ドライバ等の工具が他の端子ネジに接触する可能性を低減し、安全な端子操作を可能にする短絡防止具を提供する。【解決手段】短絡防止具１は、ドライバ等の工具を用いて、スマートメータ１００の端子１２１の端子ネジを操作する時に、ドライバ等の工具が隣接する端子ネジに接触して短絡事故を起こすことを防止する器具であり、端子台１２０に取り付けられた時に、端子台１２０の正面に対向する基部２と、端子台１２０の側面に対向する挟持部３と、端子１２１に対向するように切欠き状に設けられたスリット部４とを備えている。スリット部４は、スリット４１と、スリット４１を開閉する開閉蓋４２とを備えている。【選択図】  図４
2018206720.tif 000002
【特許請求の範囲】
【請求項１】
電力量計の端子台を覆うようにして取り付けられ、前記端子台の各端子に対向して切欠き状のスリットが設けられた短絡防止具であって、
前記各スリットに対して設けられ、該スリットを開閉する開閉蓋を備える、
ことを特徴とする短絡防止具。
【請求項２】
前記開閉蓋はスライドすることで前記スリットを開閉し、ドライバの先端を差し込む差し込み部が設けられている、
ことを特徴とする請求項１に記載の短絡防止具。
【請求項３】
電力量計の端子台を覆うようにして取り付けられ、前記端子台の各端子に対向して切欠き状のスリットが設けられた短絡防止具に、装着される短絡防止具用アダプタであって、
前記全スリットに跨るように前記短絡防止具に取り付けられ、前記各スリットに対向して窓孔が設けられたベースと、
前記各窓孔に対して設けられ、該窓孔を開閉する開閉蓋と、
を備えることを特徴とする短絡防止具用アダプタ。
【請求項４】
前記開閉蓋はスライドすることで前記スリットを開閉し、ドライバの先端を差し込む差し込み部が設けられている、
ことを特徴とする請求項３に記載の短絡防止具用アダプタ。
【発明の詳細な説明】
【技術分野】
【０００１】
この発明は、端子台の端子に工具等が接触して短絡することを防止する短絡防止具及び短絡防止具用アダプタに関する。
【背景技術】
【０００２】
需要家宅に設置され、需要家に供給される電力を計量する電力量計には、電力の供給停止、再接続、解約、及び再使用契約等の施工を行うため、ドライバ等の工具を用いて操作を行う端子を備えた端子台が設けられている。このような端子を操作する際、他の端子に接触等して短絡事故が発生するおそれがあるので、このような事故を防止する目的で、短絡防止具が使用されている（例えば、特許文献１参照。）。
【０００３】
図８は、従来の短絡防止具２００の外観を示す斜視図であり、図９は、図８の短絡防止具２００が、電力量計の例としてスマートメータ１００に取り付けられた状態の例を示す正面図である。
【０００４】
図８に示す短絡防止具２００は、ドライバ等の工具を用いて、図９に示すスマートメータ１００の端子１２１の端子ネジを操作する時に、ドライバ等の工具が隣接する端子ネジに接触して短絡事故を起こすことを防止するために、スマートメータ１００の端子台１２０を覆うように取り付けられる器具である。この短絡防止具２００は、例えばゴム等の弾性を有する絶縁材により構成され、主として基部２１０と、挟持部２２０と、スリット２３０とを備えている。
【０００５】
基部２１０は、短絡防止具２００がスマートメータ１００の端子台１２０に取り付けられた時に、端子台１２０の正面に対向する板状部材である。挟持部２２０は、端子台１２０に取り付けられた時に、端子台１２０の側面に対向する板状部材であり、基部２１０の左右側面から略Ｌ字状に折り曲げられて延設されている。この挟持部２２０は、基部２１０とのなす角が鋭角になるように形成され、端子台１２０に取り付けられた時にゴム等の弾性力で挟持するようになっている。スリット２３０は、基部２１０の下方に端子１２１に対向するように切欠き状に設けられた箇所であり、後述するように端子１２１ａ，１２１ｂ，１２１ｃ，１２１ｄ，１２１ｅ，１２１ｆに対応して、例えば、６つのスリット２３０ａ，２３０ｂ，２３０ｃ，２３０ｄ，２３０ｅ，２３０ｆが設けられている。
【０００６】
図９に示すスマートメータ１００は、主として計量部１１０と、端子台１２０とを備え、端子台１２０を介して計量部１１０には電線１３０が接続されている。電線１３０は、スマートメータ１００の定格電流等により定められ、例えば、６本の電線１３０ａ，１３０ｂ，１３０ｃ，１３０ｄ，１３０ｅ，１３０ｆが接続されている。
【０００７】
計量部１１０は、電線１３０を流れる電流及び電圧から、需要家に供給される電力を計量する装置であり、スマートメータ１００の上方に設けられている。この計量部１１０には、累積の電力使用量等を表示する、例えば液晶パネルにより構成されている表示部１１１が正面上方に設けられている。端子台１２０は、電力の供給停止、再接続、解約、及び再使用契約の施工を行うための装置であり、端子１２１を備え、計量部１１０の下方に配設されている。
【０００８】
端子１２１は、需要家の電力の供給状況に応じて計量部１１０と電線１３０の接続または切断を行うためのものであり、６本の電線１３０ａ，１３０ｂ，１３０ｃ，１３０ｄ，１３０ｅ，１３０ｆに対応して、端子１２１ａ，１２１ｂ，１２１ｃ，１２１ｄ，１２１ｅ，１２１ｆを備え、それぞれ２つの端子ネジにより構成されている。この端子１２１は、電力の供給停止、再接続、解約、及び再使用契約等の目的に応じて、この２つの端子ネジをドライバ等の工具を用いて締め、または緩めて操作することにより、計量部１１０と電線１３０との接続、または切断を行うものである。
【先行技術文献】
【特許文献】
【０００９】
【特許文献１】特開２０１７−０２０９７８号公報
【発明の概要】
【発明が解決しようとする課題】
【００１０】
ところで、このような短絡防止具は、ドライバ等の工具が隣接する端子ネジに接触することを防止するために一定の効果はあるが、端子１２１が開放されているため、端子ネジが固く締められているような場合に、ドライバ等の工具が端子ネジから外れて他の端子ネジに接触する可能性があり、短絡事故を起こす可能性はまだ残されていた。また、この端子１２１は、１つの端子１２１に対して操作を行う場合、原則として他の端子１２１に対する操作は行わないので、操作を行わない端子１２１は開放しないようにすることが望まれていた。
【００１１】
そこでこの発明は、ドライバ等の工具が他の端子ネジに接触する可能性を低減し、安全な端子ネジの操作を可能にする短絡防止具及び短絡防止具用アダプタを提供することを目的とする。
【課題を解決するための手段】
【００１２】
上記課題を解決するために、請求項１の発明は、電力量計の端子台を覆うようにして取り付けられ、前記端子台の各端子に対向して切欠き状のスリットが設けられた短絡防止具であって、前記各スリットに対して設けられ、該スリットを開閉する開閉蓋を備える、ことを特徴とする。
【００１３】
請求項２の発明は、請求項１に記載の短絡防止具において、前記開閉蓋はスライドすることで前記スリットを開閉し、ドライバの先端を差し込む差し込み部が設けられている、ことを特徴とする。
【００１４】
請求項３の発明は、電力量計の端子台を覆うようにして取り付けられ、前記端子台の各端子に対向して切欠き状のスリットが設けられた短絡防止具に、装着される短絡防止具用アダプタであって、前記全スリットに跨るように前記短絡防止具に取り付けられ、前記各スリットに対向して窓孔が設けられたベースと、前記各窓孔に対して設けられ、該窓孔を開閉する開閉蓋と、を備えることを特徴とする。
【００１５】
請求項４の発明は、請求項３に記載の短絡防止具用アダプタにおいて、前記開閉蓋はスライドすることで前記スリットを開閉し、ドライバの先端を差し込む差し込み部が設けられている、ことを特徴とする。
【発明の効果】
【００１６】
請求項１、３の発明によれば、切欠き状のスリットが設けられた短絡防止具、または窓孔が設けられた短絡防止具用アダプタに、スリットを開閉する開閉蓋を備えたので、ドライバ等の工具を用いて端子ネジを操作する時に、操作対象の端子ネジに対向する開閉蓋を開き、その他の開閉蓋を閉じて作業をすることにより、ドライバ等の工具が他の端子ネジに接触するおそれがなくなる。これにより、安全な端子操作を行うことが可能になる。また、開閉蓋を開閉するだけで操作対象の端子ネジを開いて操作することができるので、容易に端子ネジの操作を行うことが可能になる。
【００１７】
請求項２、４の発明によれば、開閉蓋がスライドすることで開閉するので、開閉蓋を容易に開閉することができる。また、ドライバの先端を差し込む差し込み部が設けられているので、端子ネジを操作するために使用されるドライバで開閉することが可能になるため、工具を持ち替える必要なく容易に開閉することができる。
【００１８】
請求項３、４の発明によれば、この短絡防止具用アダプタは短絡防止具に装着されるため、既存の短絡防止具に使用することができる。これにより、既存の短絡防止具を使用しても、より安全な端子操作を行うことが可能になる。また、既存の短絡防止具を使用することができるので、経済的である。
【図面の簡単な説明】
【００１９】
【図１】この発明の実施の形態１に係る短絡防止具１の外観を示す斜視図である。
【図２】図１の短絡防止具１を示す正面図である。
【図３】図１の短絡防止具１を示す右側面図である。
【図４】図１の短絡防止具１が図８のスマートメータ１００に取り付けられた状態の例を示す正面図である。
【図５】図４の短絡防止具１及びスマートメータ１００の右側面図である。
【図６】この発明の実施の形態２に係る短絡防止具用アダプタ１０の外観を示す斜視図である。
【図７】図６の短絡防止具用アダプタ１０が図８の短絡防止具２００及び図９のスマートメータ１００に取り付けられた状態の例を示す正面図である。
【図８】従来の短絡防止具２００の外観を示す斜視図である。
【図９】図８の短絡防止具２００がスマートメータ１００に取り付けられた状態の例を示す正面図である。
【発明を実施するための形態】
【００２０】
以下、この発明を図示の実施の形態に基づいて説明する。
【００２１】
（実施の形態１）
図１ないし図５は、この発明の実施の形態１に係る短絡防止具１を示し、図１は、短絡防止具１の外観を示す斜視図であり、図２は、図１の短絡防止具１を示す正面図であり、図３は、図１の短絡防止具１を示す右側面図である。この短絡防止具１は、図８に示す短絡防止具２００に代えて、図９に示すスマートメータ１００の端子台１２０を覆うように取り付けられる器具であり、短絡防止具２００と同様に、例えばゴム等の弾性を有する絶縁材により構成され、主として基部（ベース）２と、挟持部３と、スリット部４とを備えている。
【００２２】
基部２は、短絡防止具２００の基部２１０と同様に、短絡防止具１が端子台１２０に取り付けられた時に、端子台１２０の正面に対向する板状部材である。挟持部３は、短絡防止具２００の挟持部２２０と同様に、端子台１２０に取り付けられた時に、端子台１２０の側面に対向する板状部材であり、基部２の左右側面から略Ｌ字状に折り曲げられて延設され、基部２とのなす角が鋭角になるように形成され、端子台１２０に取り付けられた時にゴム等の弾性力で挟持するようになっている。
【００２３】
スリット部４は、短絡防止具２００のスリット２３０に代えて基部２の下方に設けられたものであり、主としてスリット４１と、開閉蓋４２とを備えている。スリット４１は、端子１２１に対向するように切欠き状に設けられた箇所であり、端子１２１ａ，１２１ｂ，１２１ｃ，１２１ｄ，１２１ｅ，１２１ｆに対向する位置に対応して、例えば、６つのスリット４１ａ，４１ｂ，４１ｃ，４１ｄ，４１ｅ，４１ｆが、基部２の下方に開放するように、例えば略方形に設けられている。開閉蓋４２は、スリット４１を開閉し、ドライバ等の工具を用いて端子１２１の端子ネジを操作する時に図１の矢印Ａ方向にスライドするように開き、操作を行わない場合には閉じる扉であり、スリット４１を閉じることが可能な略方形に形成され、６つのスリット４１ａ，４１ｂ，４１ｃ，４１ｄ，４１ｅ，４１ｆに対してそれぞれ６つの開閉蓋４２ａ，４２ｂ，４２ｃ，４２ｄ，４２ｅ，４２ｆが設けられている。このスリット４１及び開閉蓋４２は、端子１２１の端子ネジが開放され、ドライバ等の工具を用いて操作可能な大きさに形成されている。
【００２４】
図２に示すように、スリット４１の左右方向側面には、開閉蓋４２が図１に示す矢印Ａ方向にスライドするための溝Ｇが設けられ、スリット４１の上方には、開閉蓋４２が上方向にスライドした時に開閉蓋４２を収容するための空間Ｓが溝状に設けられている。開閉蓋４２の下端の左右側面には、溝Ｇに嵌合されて上下にスライドする突出部Ｔが設けられている。そして、溝Ｇの下端には溝Ｇを塞ぐストッパ面Ｌ１が設けられ、突出部Ｔがストッパ面Ｌ１に制止されることにより、開閉蓋４２がスリット４１の下端より下方に落下しないようになっている。また、空間Ｓの上端にはストッパ面Ｌ２が設けられ、開閉蓋４２がストッパ面Ｌ２に制止されることにより、開閉蓋４２がスリット４１の上端より上方に嵌入しないようになっている。
【００２５】
この開閉蓋４２には、開閉蓋４２を開閉するときにドライバ等の工具の先端を差し込む差し込み部４２１が設けられている。差し込み部４２１は、例えばマイナスドライバの先端部分を差し込むことが可能な大きさの、略平板状の長方形の溝状に形成され、６つの開閉蓋４２ａ，４２ｂ，４２ｃ，４２ｄ，４２ｅ，４２ｆに対してそれぞれ６つの差し込み部４２１ａ，４２１ｂ，４２１ｃ，４２１ｄ，４２１ｅ，４２１ｆが設けられている。なお、この差し込み部４２１は、例えばプラスドライバの先端部分を差し込むことが可能な大きさの、略十字形の溝状に形成しても良い。
【００２６】
次に、このような短絡防止具１の使用方法及び作用等について説明する。
【００２７】
図４は、図１の短絡防止具１が図８のスマートメータ１００に取り付けられた状態の例を示す正面図であり、図５は、図４の短絡防止具１及びスマートメータ１００の右側面図である。この短絡防止具１は、スマートメータ１００が設置されている需要家宅に対して、電力の供給停止、再接続、解約、及び再使用契約等の施工を行う場合、スマートメータ１００の端子台１２０をドライバ等の工具を用いて操作する時に端子台１２０を覆うように取り付けられる。
【００２８】
まず、端子台１２０の操作を行う場合、挟持部３を左右に開き、その間にスマートメータ１００の端子台１２０を嵌め込み、図４に示すように基部２を端子台１２０の正面に対向するように、図５に示すように挟持部３を端子台１２０の側面に対向するように取り付ける。このとき、６つの開閉蓋４２ａ〜４２ｆを、端子１２１ａ〜１２１ｆにそれぞれ対向するように配置する。
【００２９】
そして、端子１２１ａ〜１２１ｆのいずれか１つに対して端子ネジの操作を行う場合、例えば端子１２１ａに対して端子ネジの操作を行う場合、差し込み部４２１ａにドライバ等の工具の先端を差し込み、上方にスライドさせて開閉蓋４２ａを開く。他の開閉蓋４２ｂ〜４２ｆは、閉じたままにする。これにより、端子１２１ａが開放されるので、端子１２１ａに対して操作を行う。このとき、他の開閉蓋４２ｂ〜４２ｆは閉じたままであるので、端子１２１ｂ〜１２１ｆは開放されていない。そのため、ドライバ等の工具が端子１２１ｂ〜１２１ｆに接触するおそれがない。その後、端子１２１ａに対する操作が終了すると、短絡防止具１を取り外して作業を終了する。
【００３０】
このように、この短絡防止具１によれば、スリット４１に対してそれぞれ開閉蓋４２が設けられているので、例えば端子１２１ａに対して端子ネジの操作を行う場合、開閉蓋４２ａを開き、他の開閉蓋４２ｂ〜４２ｆは閉じたままにすることができるので、操作を行う端子１２１ａのみが開放され、他の端子１２１ｂ〜１２１ｆは開放されない。そのため、ドライバ等の工具が他の端子１２１ｂ〜１２１ｆに接触するおそれがなくなる。これにより、安全な端子接続または切断作業を行うことが可能になる。
【００３１】
また、開閉蓋４２を開閉するだけで操作対象の端子ネジを開いて操作することができるので、端子ネジの操作を容易に行うことが可能になる。
【００３２】
さらに、開閉蓋４２をスライドさせて開閉する構成にしたので、開閉蓋４２を容易に開閉することが可能になる。また、開閉蓋４２に差し込み部４２１を設けたことにより、端子ネジの操作を行うドライバ等の工具で開閉蓋４２を開閉することが可能であるため、工具を持ち替える必要なく開閉蓋４２を容易に開閉することが可能になる。
【００３３】
（実施の形態２）
図６及び図７は、この発明の実施の形態２に係る短絡防止具用アダプタ１０を示し、図６は、短絡防止具用アダプタ１０の外観を示す斜視図である。この短絡防止具用アダプタ１０は、図９に示すスマートメータ１００の端子台１２０に、図８に示す短絡防止具２００が取り付けられた状態で、さらに短絡防止具２００に重ねて端子台１２０を覆うように装着される器具であり、実施の形態１に係る短絡防止具２と同様に、例えばゴム等の弾性を有する絶縁材により構成され、主として基部（ベース）２０と、挟持部３０と、スリット部４０とを備えている。
【００３４】
基部２０は、この短絡防止具用アダプタ１０が短絡防止具２００に重ねて端子台１２０に取り付けられた時に、基部２１０を挟んで端子台１２０の正面に対向する板状部材である。挟持部３０は、短絡防止具用アダプタ１０が短絡防止具２００に重ねて端子台１２０に取り付けられた時に、挟持部２２０を挟んで端子台１２０の側面に対向する板状部材であり、基部２０の左右側面から略Ｌ字状に折り曲げられて延設され、基部２０とのなす角が鋭角になるように形成され、端子台１２０に取り付けられた時にゴム等の弾性力で挟持するようになっている。
【００３５】
スリット部４０は、短絡防止具用アダプタ１０が短絡防止具２００に重ねて端子台１２０に取り付けられた時に、スリット２３０を挟んで端子１２１に対向するように切欠き状に設けられた箇所であり、実施の形態１に係る短絡防止具２のスリット部４と同様の構成であるスリット（窓孔）４１と、開閉蓋４２とを備え、開閉蓋４２には、差し込み部４２１が設けられている。
【００３６】
次に、このような短絡防止具用アダプタ１０の使用方法及び作用等について説明する。
【００３７】
図７は、図６の短絡防止具用アダプタ１０が図８の短絡防止具２００及び図９のスマートメータ１００に取り付けられた状態の例を示す正面図である。この短絡防止具用アダプタ１０は、スマートメータ１００が設置されている需要家宅に対して、電力の供給停止、再接続、解約、及び再使用契約等の施工を行う場合、スマートメータ１００の端子台１２０をドライバ等の工具を用いて操作する時に、従来の短絡防止具２００を端子台１２０を覆うように取り付け、その上から短絡防止具２００に重ねるように取り付けられる。
【００３８】
まず、端子台１２０の操作を行う場合、短絡防止具２００の挟持部２２０を左右に開き、その間にスマートメータ１００の端子台１２０を嵌め込み、基部２１０を端子台１２０の正面に対向するように、挟持部２２０を端子台１２０の側面に対向するように取り付ける。その上から、短絡防止具用アダプタ１０の挟持部３０を左右に開き、その間に短絡防止具２００を嵌め込み、図７に示すように基部２０を基部２１０に対向するように、挟持部３０を挟持部２２０に対向するように装着する。このとき、６つの開閉蓋４２ａ〜４２ｆを、端子１２１ａ〜１２１ｆにそれぞれ対向するように配置する。
【００３９】
そして、例えば端子１２１ａに対して端子ネジの操作を行う場合、差し込み部４２１ａにドライバ等の工具の先端を差し込み、上方にスライドさせて開閉蓋４２ａを開く。他の開閉蓋４２ｂ〜４２ｆは、閉じたままにする。これにより、端子１２１ａが開放されるので、端子１２１ａに対して操作を行う。このとき、他の開閉蓋４２ｂ〜４２ｆは閉じたままであるので、端子１２１ｂ〜１２１ｆは開放されていない。そのため、ドライバ等の工具が端子１２１ｂ〜１２１ｆに接触するおそれがない。その後、端子１２１ａに対する操作が終了すると、短絡防止具用アダプタ１０及び短絡防止具２００を取り外して作業を終了する。
【００４０】
このように、この短絡防止具用アダプタ１０によれば、スリット４１に対して開閉蓋４２が設けられているので、例えば端子１２１ａに対して端子ネジの操作を行う場合、開閉蓋４２ａを開き、他の開閉蓋４２ｂ〜４２ｆは閉じたままにすることができるので、操作を行う端子１２１ａのみが開放され、他の端子１２１ｂ〜１２１ｆは開放されない。そのため、ドライバ等の工具が端子１２１ｂ〜１２１ｆに接触するおそれがなくなる。これにより、安全な端子接続または切断作業を行うことが可能になる。
【００４１】
また、この短絡防止具用アダプタ１０は、既存の短絡防止具２００に装着されるため、既存の短絡防止具２００に本発明を適用することが可能になる。
【００４２】
以上、この発明の実施の形態について説明したが、具体的な構成は、上記の実施の形態に限られるものではなく、この発明の要旨を逸脱しない範囲の設計の変更等があっても、この発明に含まれる。例えば、上述した実施の形態では、基部２，２０の下方に端子１２１に対向するように切欠き状にスリット４１を設けたが、下辺が閉じられた状態で窓状に形成し、その窓を開閉するように開閉蓋４２を設けても良い。これにより、開閉蓋４２が上下左右を絶縁材に囲まれるので、安全性がより向上する。
【００４３】
また、挟持部３をゴム等の弾性力で端子台１２０を挟持するように構成したが、ネジ等により端子台１２０に取り付けられるように構成しても良い。
【符号の説明】
【００４４】
１                                短絡防止具
１０                              短絡防止具用アダプタ
２，２０                          基部（ベース）
３，３０                          挟持部
４                                スリット部
４１，４１ａ，４１ｂ，４１ｃ，４１ｄ，４１ｅ，４１ｆ
スリット（窓孔）
４２，４２ａ，４２ｂ，４２ｃ，４２ｄ，４２ｅ，４２ｆ
開閉蓋
４２１，４２１ａ，４２１ｂ，４２１ｃ，４２１ｄ，４２１ｅ，４２１ｆ
差し込み部
１００                            スマートメータ
１１０                            計量部
１１１                            表示部
１２０                            端子台
１２１，１２１ａ，１２１ｂ，１２１ｃ，１２１ｄ，１２１ｅ，１２１ｆ
端子
１３０，１３０ａ，１３０ｂ，１３０ｃ，１３０ｄ，１３０ｅ，１３０ｆ
電線
２００                            短絡防止具
２１０                            基部
２２０                            挟持部
２３０，２３０ａ，２３０ｂ，２３０ｃ，２３０ｄ，２３０ｅ，２３０ｆ
スリット
【図１】
2018206720.tif 000003
【図２】
2018206720.tif 000004
【図３】
2018206720.tif 000005
【図４】
2018206720.tif 000006
【図５】
2018206720.tif 000007
【図６】
2018206720.tif 000008
【図７】
2018206720.tif 000009
【図８】
2018206720.tif 000010
【図９】
2018206720.tif 000011